(57)【要約】  診断支援装置は、光学特性測定装置の設定記憶部に記憶された設定の内容に基づいて動作する光学特性測定装置の診断を支援し、第１の記憶部と、第２の記憶部と、処理部と、第１の命令部と、診断部と、第２の命令部と、を有する。第１の記憶部は、診断時の設定の内容を示す第１の設定情報を予め記憶する。処理部は、設定記憶部に予め記憶されており、使用時の設定の内容を示す第２の設定情報を、設定記憶部から取得し、第２の記憶部に記憶させる処理をする。第１の命令部は、第１の記憶部に記憶されている第１の設定情報を設定記憶部に記憶させる命令をする。診断部は、設定記憶部に記憶されている第１の設定情報が示す設定の内容に基づいて動作する光学特性測定装置が測定した値を示す測定結果を取得する。第２の命令部は、測定結果が取得された後、第２の記憶部に記憶されている第２の設定情報を設定記憶部に記憶させる命令をする。
2018066524.tif 000002
【特許請求の範囲】
【請求項１】
光学特性測定装置の使用時及び診断時において、前記光学特性測定装置の設定記憶部に記憶された設定の内容に基づいて動作する前記光学特性測定装置の診断を支援する装置であって、
前記診断時の設定の内容を示す第１の設定情報を予め記憶する第１の記憶部と、
第２の記憶部と、
前記設定記憶部に予め記憶されており、前記使用時の設定の内容を示す第２の設定情報を前記設定記憶部から取得し、前記第２の記憶部に記憶させる処理をする処理部と、
前記第２の記憶部に前記第２の設定情報が記憶された後、前記第１の記憶部に記憶されている前記第１の設定情報を前記設定記憶部に記憶させる命令をする第１の命令部と、
前記設定記憶部に記憶されている前記第１の設定情報が示す設定の内容に基づいて動作する前記光学特性測定装置が測定した値を示す測定結果を取得し、取得した前記測定結果を用いて前記光学特性測定装置の診断に必要な情報を生成する診断部と、
前記診断部が前記測定結果を取得した後、前記第２の記憶部に記憶されている前記第２の設定情報を前記設定記憶部に記憶させる命令をする第２の命令部と、を備える光学特性測定装置の診断支援装置。
【請求項２】
前記第１の記憶部には、複数の前記光学特性測定装置のそれぞれに対して設けられた前記第１の設定情報と、複数の前記光学特性測定装置のそれぞれのＩＤとが、紐付けられて予め記憶されており、
複数の前記光学特性測定装置の中で診断の対象となる前記光学特性測定装置が、前記設定記憶部に記憶されている前記第１の設定情報が示す設定の内容に基づいて動作する前に、複数の前記第１の設定情報の中で診断のために選択された前記第１の設定情報に紐付けられた前記ＩＤと、診断の対象となる前記光学特性測定装置のＩＤと、が一致するか否かを判定し、前記一致を判定したとき、前記診断部が診断の対象となる前記光学特性測定装置を診断することを許可する許可部をさらに備える請求項１に記載の光学特性測定装置の診断支援装置。
【請求項３】
前記第１の設定情報を前記診断支援装置の外部へ出力し、前記外部から前記第１の設定情報が入力される入出力部と、
前記入出力部に対して、前記第１の記憶部に記憶されている前記第１の設定情報を、前記外部へ出力する命令をし、前記外部から前記入出力部に入力された前記第１の設定情報を、前記第１の記憶部に記憶させる入出力制御部と、をさらに備える請求項２に記載の光学特性測定装置の診断支援装置。
【請求項４】
前記入出力制御部が、前記第１の設定情報を暗号化した後、前記入出力部は、前記第１の設定情報を前記外部へ出力する請求項３に記載の光学特性測定装置の診断支援装置。
【請求項５】
前記診断支援装置は、前記光学特性測定装置に備えられており、
前記診断部が、前記外部から前記入出力部に入力された前記第１の設定情報が示す設定の内容に基づいて動作する前記光学特性測定装置を診断する場合、前記許可部は、前記一致を判定することなく、前記光学特性測定装置の診断を許可する請求項３又は４に記載の光学特性測定装置の診断支援装置。
【請求項６】
前記処理部は、前記許可部が、診断の対象となる前記光学特性測定装置の診断を許可した後、前記第２の設定情報を前記設定記憶部から取得し、前記第２の記憶部に記憶させる処理をする請求項２〜５のいずれか一項に記載の光学特性測定装置の診断支援装置。
【請求項７】
前記設定記憶部に記憶されている前記第１の設定情報が示す設定の内容に基づいて、前記光学特性測定装置が動作中に、前記光学特性測定装置の設定の内容の変更を禁止する禁止部をさらに備える請求項１〜６のいずれか一項に記載の光学特性測定装置の診断支援装置。
【請求項８】
光学特性測定装置の使用時及び診断時において、前記光学特性測定装置の設定記憶部に記憶された設定の内容に基づいて動作する前記光学特性測定装置の診断を支援する方法であって、
前記診断時の設定の内容を示す第１の設定情報を予め記憶する第１の記憶ステップと、
前記設定記憶部に予め記憶されており、前記使用時の設定の内容を示す第２の設定情報を前記設定記憶部から取得し、前記第２の設定情報を記憶する処理をする処理ステップと、
前記処理ステップで前記第２の設定情報が記憶された後、前記第１の記憶ステップで記憶されている前記第１の設定情報を前記設定記憶部に記憶させる命令をする第１の命令ステップと、
前記設定記憶部に記憶されている前記第１の設定情報が示す設定の内容に基づいて動作する前記光学特性測定装置が測定した値を示す測定結果を取得し、取得した前記測定結果を用いて前記光学特性測定装置の診断に必要な情報を生成する診断ステップと、
前記診断ステップで前記測定結果が取得された後、前記処理ステップで記憶されている前記第２の設定情報を前記設定記憶部に記憶させる命令をする第２の命令ステップと、を備える光学特性測定装置の診断支援方法。
【発明の詳細な説明】
【技術分野】
【０００１】
本発明は、光学特性測定装置（例えば、測色計、光沢計）を診断する技術に関する。
【背景技術】
【０００２】
光学特性測定装置は、測定対象物（例えば、自動車の車体、バンパー）の光学特性（例えば、色彩、光沢）を測定する装置である。この測定で得られた測定対象物の光学特性を示すデータ（例えば、色の値、光沢の値）の信頼性を保証するためには、光学特性測定装置の信頼性を保証する必要がある。【０００３】
光学特性測定装置の信頼性を保証するために、光学特性測定装置は、定期的に（例えば、毎日）診断される。色を測定する機能を有する光学特性測定装置を例にして説明する。光学特性測定装置が最初に使用される前に、その光学特性測定装置によって、基準板（例えば、緑色のカラータイル）の色が測定される。このときに測定された値を初期値とする。その光学特性測定装置を用いて、同じ基準板について、定期的に色が測定される。今回の測定で得られた値と初期値（又は、前回の測定で得られた値）とが同じ場合、又は、これらの値の差が僅かである場合、その光学特性測定装置は、色を正確に測定できると診断される。これらに該当しない場合、その光学特性測定装置は、色を正確に測定できないと診断される。【０００４】
光学特性測定装置を診断するために、基準板の色を測定するとき、事前に、光学特性測定装置では、その測定に必要な各種設定がされる。これに関連する技術として、特許文献１及び特許文献２がある。特許文献１は、分析装置のバリデーションがされる前に、ユーザが操作部を操作して、測定条件、検査条件を設定し、その設定の下で、バリデーションがされることを開示している。特許文献２は、分光光度計の定期検査をする前に、ユーザが検査項目を設定することを開示している。【０００５】
光学特性測定装置は、測定対象物の色を測定するときの設定内容と光学特性測定装置の診断のために、基準板の色を測定するときの設定内容とが異なることがある。すなわち、光学特性測定装置は、使用時の設定内容と診断時の設定内容とが異なることがある。例えば、マルチアングル測色計は、複数の角度から同時に色を測定できる。マルチアングル測色計の診断のために、基準板の色を測定するとき、例えば、４５度、１０５度、１３５度の角度から色を同時に測定する。このマルチアングル測色計が使用されるとき、時間短縮のために、例えば、４５度、１３５度の角度から測定対象物の色を同時に測定することがある。【０００６】
光学特性測定装置の診断のためにその光学特性測定装置に設定された内容のままで、その光学特性測定装置が使用されれば、不都合が生じることがある。上記例で説明すると、測定対象物について、４５度、１３５度の角度から色が測定されるべきなのに、４５度、１０５度、１３５度の角度から色が測定されるので、測定対象物の色の測定時間が長くなる。
【先行技術文献】
【特許文献】
【０００７】
【特許文献１】特開２０１３−１５３９９号公報（段落００２４、００２５）
【特許文献２】特開２００２−２３０２００号公報（段落００２３、００２４）
【発明の概要】
【０００８】
本発明の目的は、光学特性測定装置が診断時の設定のままで、光学特性測定装置が使用されることを防止することができる光学特性測定装置の診断支援装置、及び、光学特性測定装置の診断支援方法を提供することである。
【０００９】
上述した目的を実現するために、本発明の一側面を反映した光学特性測定装置の診断支援装置は、光学特性測定装置の使用時及び診断時において、前記光学特性測定装置の設定記憶部に記憶された設定の内容に基づいて動作する前記光学特性測定装置の診断を支援する装置であって、第１の記憶部と、第２の記憶部と、処理部と、第１の命令部と、診断部と、第２の命令部と、を有する。前記第１の記憶部は、前記診断時の設定の内容を示す第１の設定情報を予め記憶する。前記処理部は、前記設定記憶部に予め記憶されており、前記使用時の設定の内容を示す第２の設定情報を前記設定記憶部から取得し、前記第２の記憶部に記憶させる処理をする。前記第１の命令部は、前記第２の記憶部に前記第２の設定情報が記憶された後、前記第１の記憶部に記憶されている前記第１の設定情報を前記設定記憶部に記憶させる命令をする。前記診断部は、前記設定記憶部に記憶されている前記第１の設定情報が示す設定の内容に基づいて動作する前記光学特性測定装置が測定した値を示す測定結果を取得し、取得した前記測定結果を用いて前記光学特性測定装置の診断に必要な情報を生成する。前記第２の命令部は、前記診断部が前記測定結果を取得した後、前記第２の記憶部に記憶されている前記第２の設定情報を前記設定記憶部に記憶させる命令をする。
【００１０】
発明の１又は複数の実施形態により与えられる利点及び特徴は以下に与えられる詳細な説明及び添付図面から十分に理解される。これら詳細な説明及び添付図面は、例としてのみ与えられるものであり本発明の限定の定義として意図されるものではない。
【図面の簡単な説明】
【００１１】
【図１】実施形態に係る診断支援装置の構成と、この装置により診断される光学特性測定装置の構成とを示すブロック図である。
【図２】診断の対象となる光学特性測定装置のＩＤと、第１の設定情報と、が入力された画面の第１例を説明する説明図である。
【図３】診断の対象となる光学特性測定装置のＩＤと、第１の設定情報と、が入力された画面の第２例を説明する説明図である。
【図４】診断の対象となる光学特性測定装置のＩＤと、第１の設定情報と、が入力された画面の第３例を説明する説明図である。
【図５】初期値を示す画面の一例を説明する説明図である。
【図６】プロジェクト名を入力するための画面の一例を説明する説明図である。
【図７】診断ファイルの一例を説明する説明図である。
【図８】光学特性測定装置の診断について説明するフローチャートの前半である。
【図９】光学特性測定装置の診断について説明するフローチャートの後半である。
【図１０】比較結果を示す画面の一例を説明する説明図である。
【図１１】測定結果のトレンドを示す画面の一例を説明する説明図である。
【図１２】変形例に係る診断支援装置の構成と、この装置により診断される光学特性測定装置の構成とを示すブロック図である。
【発明を実施するための形態】
【００１２】
以下、図面を参照して、本発明の１又は複数の実施形態が説明される。しかし、発明の範囲は、開示された実施形態に限定されない。
【００１３】
各図において、同一符号を付した構成は、同一の構成であることを示し、その構成について、既に説明している内容については、その説明を省略する。本明細書において、総称する場合には添え字を省略した参照符号で示し、個別の構成を指す場合には添え字を付した参照符号で示す。
【００１４】
光学特性測定装置の診断支援装置（以下、単に、診断支援装置と記載する）の実施形態について説明する。図１は、実施形態に係る診断支援装置５の構成と、この装置により診断される光学特性測定装置３の構成とを示すブロック図である。診断支援装置５と光学特性測定装置３とは、有線又は無線で通信することができる。有線として、例えば、ＵＳＢ（Ｕｎｉｖｅｒｓａｌ  Ｓｅｒｉａｌ  Ｂｕｓ）ケーブル、シリアルケーブル、イーサネットケーブル（イーサネットは登録商標である）がある。無線として、例えば、ブルートゥース（登録商標）がある。
【００１５】
光学特性測定装置３は、光学センサ３２を用いて、測定対象物の色を測定する機能を有する。光学特性測定装置３は、光学系３１、光学センサ３２、制御処理部３３、操作部３４、表示部３５及び通信部３６を備える。
【００１６】
光学系３１は、測定対象物から出射又は反射された光を光学センサ３２に導く。光学センサ３２は、その光を受光し、電気信号に変換する。この電気信号は、制御処理部３３に送られる。制御処理部３３は、この電気信号を用いて、測定対象物の色の値を演算する。制御処理部３３は、この演算機能に加えて、光学特性測定装置３が有する機能を実行するために必要な制御及び処理をする。
【００１７】
制御処理部３３は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、及び、ＨＤＤ（Ｈａｒｄ  Ｄｉｓｋ  Ｄｒｉｖｅ）等のハードウェア、並びに、制御処理部３３の機能を実行するためのプログラムおよびデータ等によって実現される。制御処理部３３の機能について、各機能の一部又は全部は、ＣＰＵによる処理に替えて、又は、これと共に、ＤＳＰ（Ｄｉｇｉｔａｌ  Ｓｉｇｎａｌ  Ｐｒｏｃｅｓｓｏｒ）による処理によって実現されてもよい。又、同様に、制御処理部３３の機能の一部又は全部は、ソフトウェアによる処理に替えて、又は、これと共に、専用のハードウェア回路による処理によって実現されてもよい。以上説明したことは、後述する制御処理部５１（図１、図１２）、制御処理部３３（図１２）についても同様である。
【００１８】
制御処理部３３は、機能ブロックとして、設定記憶部３３１及びＩＤ記憶部３３２を備える。これらの記憶部は、不揮発性メモリ等によって実現される。
【００１９】
設定記憶部３３１は、第１の設定情報又は第２の設定情報の一方を記憶する。第１の設定情報は、光学特性測定装置３の診断時に光学特性測定装置３に設定される内容を示す情報である。第２の設定情報は、光学特性測定装置３の使用時に光学特性測定装置３に設定される内容を示す情報である。光学特性測定装置３の使用とは、光学特性測定装置３によって測定対象物の色が測定されることである。
【００２０】
光学特性測定装置３が使用されるとき、設定記憶部３３１には、第２の設定情報が記憶されている。制御処理部３３が、第２の設定情報で示される設定内容の下で、光学特性測定装置３を制御することによって、測定対象物の色が測定される。光学特性測定装置３が診断されるとき、設定記憶部３３１には、第１の設定情報が記憶されている。制御処理部３３が、第１の設定情報で示される設定内容の下で、光学特性測定装置３を制御することによって、基準板の色が測定される。
【００２１】
ＩＤ記憶部３３２は、光学特性測定装置３のＩＤを記憶する。光学特性測定装置３のシリアル番号が、ＩＤとして、ＩＤ記憶部３３２に記憶されている。ＩＤは、複数の光学特性測定装置の中から一つの光学特性測定装置を特定できる情報であればよく、シリアル番号に限定されない。
【００２２】
操作部３４は、ユーザが光学特性測定装置３に命令、データ等を入力するための装置である。操作部３４は、ハードキー、タッチパネル等によって実現される。ユーザが操作部３４を操作することによって、光学特性測定装置３の使用時の設定が入力される。制御処理部３３は、この設定内容（第２の設定情報）を設定記憶部３３１に記憶させる。
【００２３】
表示部３５は、上記設定内容、及び、光学特性測定装置３によって測定された色の値等を表示する装置である。表示部３５は、液晶ディスプレイ、有機ＥＬ（Ｅｌｅｃｔｒｏ  Ｌｕｍｉｎｅｓｃｅｎｃｅ）ディスプレイ等によって実現される。
【００２４】
通信部３６は、他の機器（ここでは、診断支援装置５）と通信する機能を有する。通信部３６は、通信インターフェースによって実現される。
【００２５】
診断支援装置５は、パソコンであり、制御処理部５１、操作部５２、表示部５３、入出力部５４及び通信部５５を備える。制御処理部５１は、診断支援装置５が有する機能を実行するために必要な制御及び処理をする。
【００２６】
制御処理部５１は、機能ブロックとして、表示制御部５１１、第１の記憶部５１２、処理部５１３、第２の記憶部５１４、第１の命令部５１５、診断部５１６、第３の記憶部５１７、許可部５１８、禁止部５１９、第２の命令部５２０、及び、入出力制御部５２１を備える。
【００２７】
表示制御部５１１は、画面を生成し、画面を表示部５３に表示させる。画面は、例えば、図２に示す画面２−１である。画面については、後で説明する。
【００２８】
第１の記憶部５１２は、第１の設定情報を予め記憶する。第１の記憶部５１２には、複数の光学特性測定装置のそれぞれに対して設けられた第１の設定情報が予め記憶されている。従って、第１の記憶部５１２には、複数の第１の設定情報が記憶されていることになる。複数の光学特性測定装置の中に光学特性測定装置３が含まれる。第１の記憶部５１２には、複数の光学特性測定装置のそれぞれのＩＤと、複数の光学特性測定装置のそれぞれの第１の設定情報とが紐付けられて予め記憶されている。
【００２９】
処理部５１３は、設定記憶部３３１に予め記憶されている第２の設定情報を、設定記憶部３３１から取得し、第２の記憶部５１４に記憶させる。
【００３０】
第１の命令部５１５は、第２の記憶部５１４に第２の設定情報が記憶された後、第１の記憶部５１２に記憶されている第１の設定情報を設定記憶部３３１に記憶させる命令（制御）をする。
【００３１】
診断部５１６は、設定記憶部３３１に記憶されている第１の設定情報が示す設定の内容に基づいて動作する光学特性測定装置３が測定した値を示す測定結果を取得し、取得した測定結果を用いて光学特性測定装置３の診断に必要な情報を生成する。診断とは、例えば、診断部５１６が、光学特性測定装置３が測定した値である測定結果を取得し、取得した測定結果を用いて、光学特性測定装置３の診断に必要な情報（例えば、図１０に示す比較結果、図１１に示す測定結果のトレンド）を生成し、この情報をユーザに提供することである。ユーザは、この情報を見て、光学特性測定装置３が使用可能か否かを判断する。診断はこの意味に限らない。診断とは、例えば、診断部５１６が、上記測定結果を取得し、取得した測定結果を用いて上記情報を生成し、この情報を基にして、光学特性測定装置３が使用可能か否かを判断することである。実施形態での診断は、前者の意味の診断である。
【００３２】
第３の記憶部５１７は、診断部５１６が診断した結果を含む診断データを記憶する。診断データは、例えば、後で説明する表１で示すデータである。
【００３３】
光学特性測定装置が複数ある場合、光学特性測定装置毎に内容が異なる第１の設定情報が設けられることがある。ある光学特性測定装置に対して設けられた第１の設定情報が、別の光学特性測定装置の診断に用いられれば、間違った診断がされることになる。そこで、許可部５１８が設けられている。許可部５１８は、複数の光学特性測定装置の中で診断の対象となる光学特性測定装置（ここでは、光学特性測定装置３）が、設定記憶部３３１に記憶されている第１の設定情報が示す設定の内容に基づいて動作する前に、複数の第１の設定情報（すなわち、複数の光学特性測定装置のそれぞれに対して設けられた第１の設定情報）の中で診断のために選択された第１の設定情報に紐付けられたＩＤと、診断の対象となる光学特性測定装置のＩＤと、が一致するか否かを判定する。許可部５１８は、ＩＤの一致を判定したとき、診断部５１６が診断の対象となる光学特性測定装置を診断することを許可する。診断の対象となる光学特性測定装置が、複数でなく一つの場合、許可部５１８は、不要である。
【００３４】
禁止部５１９は、設定記憶部３３１に記憶されている第１の設定情報が示す設定の内容に基づいて、光学特性測定装置３が動作中に、光学特性測定装置３の設定の内容の変更を禁止する。例えば、表示部３５に表示された操作画面上で設定の内容が変更できる場合、禁止部５１９は、通信部５５及び通信部３６を用いて、表示部３５に表示された操作画面を遠隔制御し、操作画面をロックさせる。これにより、設定の入力ができないようにする。光学特性測定装置３が上記動作中に、光学特性測定装置３の表示部３５に表示された操作画面に手が触れて、設定の内容が変わると、正しい診断をすることができない。禁止部５１９によって、このようなことを防止することができる。ユーザが注意をすれば、光学特性測定装置３が上記動作中に、操作画面に手が触れることにより、設定の内容が変わる事象は、防止することができる。従って、診断支援装置５が禁止部５１９を備えない態様も可能である。
【００３５】
第２の命令部５２０は、診断部５１６が上記測定結果を取得した後、第２の記憶部５１４に記憶されている第２の設定情報を設定記憶部３３１に記憶させる命令（制御）をする。入出力制御部５２１は、入出力部５４の説明箇所で説明する。
【００３６】
操作部５２は、ユーザが診断支援装置５に命令、データ等を入力するための装置である。操作部５２は、キーボード、マウス、タッチパネル等によって実現される。ユーザが操作部５２を操作することによって、光学特性測定装置３の診断時の設定が入力される。制御処理部５１は、この設定内容（第１の設定情報）を第１の記憶部５１２に記憶させる。
【００３７】
表示部５３は、表示制御部５１１が生成した画像、画面等を表示する装置である。表示部５３は、液晶ディスプレイ、有機ＥＬ（Ｅｌｅｃｔｒｏ  Ｌｕｍｉｎｅｓｃｅｎｃｅ）ディスプレイ等によって実現される。
【００３８】
入出力部５４は、第１の設定情報を診断支援装置５の外部へ出力し、外部から第１の設定情報が入力される入出力ポートである。入出力部５４には、例えば、ＵＳＢメモリを接続することができる。入出力制御部５２１は、入出力部５４に対して、第１の記憶部５１２に記憶されている第１の設定情報を外部へ出力する命令をし、外部から入出力部５４に入力された第１の設定情報を、第１の記憶部５１２に記憶させる。
【００３９】
入出力制御部５２１及び入出力部５４により、第１の設定情報のインポート及びエクスポートができる。従って、例えば、診断支援装置５から第１の設定情報が漏洩するのを防止するために、診断を実行するときにのみ、第１の記憶部５１２に第１の設定情報を記憶させることができる。
【００４０】
入出力制御部５２１が第１の設定情報を暗号化した後、入出力部５４は、第１の設定情報を外部に出力する。これにより、外部へ出力された第１の設定情報が漏洩しても、第１の設定情報の内容が知られることを防止できる。第１の設定情報の暗号化には、公知の暗号化処理を用いることができる。第１の設定情報をインポート及びエクスポートする必要がない場合、入出力部５４及び入出力制御部５２１は、不要である。
【００４１】
通信部５５は、他の機器（ここでは、光学特性測定装置３）と通信する機能を有する。通信部５５は、通信インターフェースによって実現される。
【００４２】
光学特性測定装置３は、使用時及び診断時に、それぞれ、所定の設定がされる。光学特性測定装置３の設定項目について、具体的に説明する。設定項目の第１例は、光沢を測定するか否かを選択する設定項目である。これは、光学特性測定装置３が、色と光沢とを同時に測定する機能を有する場合に設けられる設定項目である。光沢の測定では、基準板の光沢度に応じて、適切な測定角度が決まるので、測定角度（例えば、２０度、６０度、８５度）を選択する設定項目が加わる。
【００４３】
設定項目の第２例は、色の表色系（例えば、ＸＹＺ表色系、Ｌスター、ａスター、ｂスター表色系）を選択する設定項目である。これは、光学特性測定装置３が測定した色を数値で表示する際に、複数の表色系の中から表色系を選択できる場合に設けられる設定項目である。
【００４４】
設定項目の第３例は、色の測定の角度を選択する設定項目である。これは、光学特性測定装置３が複数の角度から色を同時に測定できる場合に設けられる設定項目である。例えば、１５度、４５度、７５度、１０５度、１３５度、１６５度の中から１つ以上の角度が選択される。
【００４５】
設定項目の第４例は、色の測定において、正反射光を含めるか否かを選択する設定項目である。これは、光学特性測定装置３が、ＳＣＥ（Ｓｐｅｃｕｌａｒ  Ｃｏｍｐｏｎｅｎｔ  Ｅｘｃｌｕｄｅ）とＳＣＩ（Ｓｐｅｃｕｌａｒ  Ｃｏｍｐｏｎｅｎｔ  Ｉｎｃｌｕｄｅ）のいずれかを選択できる場合に設けられる設定項目である。
【００４６】
設定項目の第５例は、測定径を選択する設定項目である。これは、光学特性測定装置３が、測定径を選択できる場合に設けられる設定項目である。例えば、Φ２５．４ｍｍ、Φ８ｍｍ、３×５ｍｍのいずれか１つが選択される。
【００４７】
設定項目の第６例は、温度を監視するか否かを選択する設定項目である。これは、光学特性測定装置３が、光学特性測定装置３内の温度を監視する機能を有する場合に設けられる設定項目である。光学特性測定装置３内の温度が高い状態で色を測定したとき、測定精度が低下する。光学特性測定装置３内の温度を監視する選択がされている場合、その温度が予め定められた値を超えたとき、表示制御部５１１は、表示部５３に警告を表示させる。
【００４８】
光学特性測定装置３が、設定項目として、例えば、第２例及び第３例を有するとする。設定項目に、例えば、ＸＹＺ表色系が設定され、４５度、１０５度、１３５度が設定されているとする。これらが、光学特性測定装置３に設定された内容となる。
【００４９】
光学特性測定装置３の診断の前提として、初期設定がある。これについて説明する。初期設定には、（１）診断の対象となる光学特性測定装置３のＩＤと、第１の設定情報との入力、（２）初期値の測定、及び、（３）光学特性測定装置３が使用されるプロジェクト名の入力、がある。
【００５０】
図１を参照して、ユーザが、操作部５２を操作して、初期設定の命令を診断支援装置５に入力したとき、表示制御部５１１は、上記（１）の入力をするための画面を表示部５３に表示させる。図２は、上記（１）の入力をするための画面２の第１例を説明する説明図である。第１例の画面２−１は、入力欄２０、設定項目欄２１、プルダウンボタン２２、チェックボックス２３、及び、ボタン２４を含む。
【００５１】
図１及び図２を参照して、入力欄２０は、診断の対象となる光学特性測定装置３の機種名及びシリアル番号を入力する欄である。当初の画面２−１において、入力欄２０は、空欄である。ユーザが、操作部５２を操作して、プルダウンボタン２２−１を選択すると、表示制御部５１１は、選択可能な光学特性測定装置を示すリスト（不図示）を画面２−１上に表示させる。ユーザが、操作部５２を操作して、そのリストから診断の対象となる光学特性測定装置３を選択したとき、選択された光学特性測定装置３の機種名及びシリアル番号が入力欄２０に入力される。入力欄２０には、機種名「ＣＭ−２５ｃＧ」、シリアル番号が「ＫＭ２００４５７８９」が示されている。従って、機種名が「ＣＭ−２５ｃＧ」であり、シリアル番号が「ＫＭ２００４５７８９」である光学特性測定装置３が、診断の対象として入力されている。シリアル番号により、光学特性測定装置３が特定されるので、シリアル番号は、光学特性測定装置３のＩＤとして機能する。
【００５２】
光学特性測定装置３の機種に応じて、設定項目が異なるので、設定項目欄２１及びこれに対応するプルダウンボタン２２、チェックボックス２３は、当初の画面２−１に含まれていない。ユーザが、診断の対象となる光学特性測定装置３を入力欄２０に入力したとき、表示制御部５１１は、入力された光学特性測定装置３の機種に応じた設定項目欄２１を画面２−１上に表示させる。
【００５３】
設定項目欄２１−１は、診断において、色と光沢との同時測定モード、色の測定モード、光沢の測定モードのいずれかを選択する欄である。設定項目欄２１−１は、上述した設定項目の第１例である。機種名「ＣＭ−２５ｃＧ」で示す光学特性測定装置３は、これら３つの測定モードのいずれかを選択することができる。診断において、色と光沢とを同時測定する場合、ユーザは、操作部５２を操作して、「Ｃｏｌｏｒ」の項目のチェックボックス２３−１、及び、「Ｇｌｏｓｓ」の項目のチェックボックス２３−２にチェックを入れる。診断において、色を測定する場合、ユーザは、操作部５２を操作して、「Ｃｏｌｏｒ」の項目のチェックボックス２３−１にチェックを入れる。診断において、光沢を測定する場合、ユーザは、操作部５２を操作して、「Ｇｌｏｓｓ」の項目のチェックボックス２３−２にチェックを入れる。画面２−１では、チェックボックス２３−１，２３−２にチェックがあるので、色と光沢との同時測定モードが選択されている。
【００５４】
例えば、光沢の測定に光学特性測定装置３が使用される場合、光学特性測定装置３の診断に、色の測定を含めることは必要でない。そこで、設定項目欄２１−１において、光沢の測定モードが選択できるようにする。
【００５５】
同じ機種の光学特性測定装置３が複数あり、それぞれ、使用時に設定される測定モードが異なることがある。このような場合、診断時に設定される測定モードが異なる。そこで、入力欄２０に入力されたＩＤ（診断の対象となる光学特性測定装置３のシリアル番号）で、同じ機種の光学特性測定装置３が区別できるようにする。
【００５６】
設定項目欄２１−２は、診断において、測定された色の値の表し方を選択する欄であり、選択前は空欄である。設定項目欄２１−２は、上述した設定項目の第２例である。ユーザが、操作部５２を操作して、プルダウンボタン２２−２を選択すると、表示制御部５１１は、選択可能な表色系を示すリスト（不図示）を画面２−１上に表示させる。ユーザが、操作部５２を操作して、そのリストから表色系の１つを選択したとき、選択された表示系が設定項目欄２１−２に入力される。画面２−１では、設定項目欄２１−２にＸＹＺが示されているので、ＸＹＺ表色系が入力されている。
【００５７】
ボタン２４−１は、設定ボタンである。ユーザは、画面２−１の入力が完了したとき、操作部５２を操作して、ボタン２４−１を選択する。これにより、制御処理部５１は、入力欄２０に入力された事項、設定項目欄２１−１（設定項目欄２１）においてチェックされた事項、及び、設定項目欄２１−２（設定項目欄２１）に入力された事項を確定する。設定項目欄２１においてチェックされた事項、及び、設定項目欄２１に入力された事項は、光学特性測定装置３の診断時に光学特性測定装置３に設定される内容を示す情報（第１の設定情報）となる。
【００５８】
ボタン２４−２は、リセットボタンである。画面２−１の入力が完了する前に（ボタン２４−１が選択される前に）、ユーザが、操作部５２を操作して、ボタン２４−２を選択したとき、表示制御部５１１は、当初の画面２−１を表示部５３に表示させる。上述したように、当初の画面２−１において、入力欄２０は、空欄である。当初の画面２−１は、設定項目欄２１及びこれに対応するプルダウンボタン２２、チェックボックス２３を含まない。ユーザは、再度、画面２−１に上述した入力をすることができる。
【００５９】
ボタン２４−３は、キャンセルボタンである。キャンセルボタンは、変更を反映せずに終了するためのボタンである。ここでは、画面２−１に入力された内容が反映されないで（無視されて）、初期設定が終了される。すなわち、ボタン２４−３が選択されると、表示制御部５１１は、画面２−１を閉じる。これにより、初期設定が実行されないことになる。
【００６０】
図３は、上記（１）の入力をするための画面２の第２例を説明する説明図である。第２例の画面２−２が、図２に示す第１例の画面２−１と相違する点は、設定項目欄２１−１の替わりに、設定項目欄２１−３が配置され、チェックボックス２３−１，２３−２の替わりに、チェックボックス２３−３〜２３−８が配置されている。
【００６１】
入力欄２０には、機種名「ＣＭ−Ｍ６」、シリアル番号が「ＫＭ１３７９４８５６」が示されている。従って、機種名が「ＣＭ−Ｍ６」であり、シリアル番号が「ＫＭ１３７９４８５６」である光学特性測定装置３が、診断の対象として入力されている。機種名「ＣＭ−Ｍ６」で示す光学特性測定装置３は、マルチアングル（１５度、４５度、７５度、１０５度、１３５度、１６５度）で色を同時に測定することができる。
【００６２】
図１及び図３を参照して、ユーザが、診断の対象となる光学特性測定装置３の機種名及びシリアル番号を入力欄２０に入力したとき、表示制御部５１１は、入力された光学特性測定装置３の機種に応じた設定項目欄２１を画面２−２上に表示させる。ここでは、設定項目欄２１−３及びこれに対応するチェックボックス２３−３〜２３−８、並びに、設定項目欄２１−２及びこれに対応するプルダウンボタン２２−２が、画面２−２上に表示される。
【００６３】
設定項目欄２１−３は、上述した設定項目の第３例である。チェックボックス２３−３にチェックが入ると、１５度が選択され、チェックボックス２３−４にチェックが入ると、４５度が選択され、チェックボックス２３−５にチェックが入ると、７５度が選択され、チェックボックス２３−６にチェックが入ると、１０５度が選択され、チェックボックス２３−７にチェックが入ると、１３５度が選択され、チェックボックス２３−８にチェックが入ると、１６５度が選択される。画面２−２では、チェックボックス２３−４，２３−６，２３−７にチェックがあるので、４５度、１０５度、１３５度が選択されている。
【００６４】
画面２−２では、設定項目欄２１−２にＬスター、ａスター、ｂスターが示されているので、Ｌスター、ａスター、ｂスター表色系が入力されている。
【００６５】
設定項目欄２１−３においてチェックされた事項、及び、設定項目欄２１−２に入力された事項は、光学特性測定装置３の診断時に光学特性測定装置３に設定される内容を示す情報（第１の設定情報）となる。
【００６６】
図４は、上記（１）の入力をするための画面２の第３例を説明する説明図である。第３例の画面２−３が、図２に示す第１例の画面２−１と相違する点は、設定項目欄２１−１の替わりに、設定項目欄２１−４，２１−５が配置され、チェックボックス２３−１，２３−２の替わりに、チェックボックス２３−９，２３−１０が配置され、ブルダウンボタン２２として、さらに、ブルダウンボタン２２−３が配置されている。
【００６７】
入力欄２０には、機種名「ＣＭ−３７００Ａ」、シリアル番号が「ＫＭ７７９３４８２２」が示されている。従って、機種名が「ＣＭ−３７００Ａ」であり、シリアル番号が「ＫＭ７７９３４８２２」である光学特性測定装置３が、診断の対象として入力されている。機種名「ＣＭ−３７００Ａ」で示す光学特性測定装置３は、ＳＣＥ又はＳＣＩのいずれかを選択して色を測定することができる。
【００６８】
図１及び図４を参照して、ユーザが、診断の対象となる光学特性測定装置３の機種名及びシリアル番号を入力欄２０に入力したとき、表示制御部５１１は、入力された光学特性測定装置３の機種に応じた設定項目欄２１を画面２−３上に表示させる。ここでは、設定項目欄２１−４及びこれに対応するチェックボックス２３−９，２３−１０、設定項目欄２１−５及びこれに対応するプルダウンボタン２２−３、並びに、設定項目欄２１−２及びこれに対応するプルダウンボタン２２−２が、画面２−３上に表示される。
【００６９】
設定項目欄２１−４は、上述した設定項目の第４例である。チェックボックス２３−９にチェックが入ると、ＳＣＥが選択され、チェックボックス２３−１０にチェックが入ると、ＳＣＩが選択される。画面２−３では、チェックボックス２３−１０にチェックがあるので、ＳＣＩが選択されている。
【００７０】
機種名「ＣＭ−３７００Ａ」で示す光学特性測定装置３は、測定径を選択して色を測定することができる。設定項目欄２１−５は、上述した設定項目の第５例である。ユーザは、操作部５２を操作して、プルダウンボタン２２−３を選択したとき、表示制御部５１１は、選択可能な測定径を示すリスト（不図示）を画面２−３上に表示させる。ユーザが、操作部５２を操作して、そのリストから測定径の１つを選択したとき、選択された測定径が設定項目欄２１−５に入力される。画面２−３では、設定項目欄２１−５にΦ８ｍｍが示されているので、Φ８ｍｍが入力されている。
【００７１】
機種名「ＣＭ−３７００Ａ」で示す光学特性測定装置３の場合、ユーザは、測定径に対応するアタッチメント（不図示）を、光学特性測定装置３に設けられたアタッチメント取付部（不図示）に取り付けなければならない。アタッチメントは、三種類ある（Φ２５．４ｍｍ用のアタッチメント、Φ８ｍｍ用のアタッチメント、３×５ｍｍ用のアタッチメント）。これらのアタッチメントには、それぞれ、端子が設けられている。端子は、アタッチメントがアタッチメント取付部に取り付けられたときに、アタッチメント取付部の端子と接触する。アタッチメントの端子の位置が、アタッチメントの種類毎に異なる。これにより、光学特性測定装置３は、アタッチメントがアタッチメント取付部に取り付けられたとき、このアタッチメントの種類を認識することができる。
【００７２】
設定項目欄２１−５に設定されている測定径と、光学特性測定装置３のアタッチメント取付部に取り付けられているアタッチメントの測定径とが異なると、正しい測定ができない。そこで、診断支援装置５と光学特性測定装置３とは、通信部５５及び通信部３６を用いて通信し、診断支援装置５は、光学特性測定装置３のアタッチメント取付部に取り付けられているアタッチメントの測定径を示す情報を取得する。制御処理部５１は、取得した上記情報が示す測定径と、設定項目欄２１−５に設定されている測定径とが異なるか否かを判定する。異なる判定がされたとき、診断支援装置５は、ユーザに警告をする。例えば、表示制御部５１１は、「アタッチメントを切り替えて下さい」を示す文字画像を画面２−３上に表示させる。
【００７３】
画面２−３では、設定項目欄２１−２にＬスター、ａスター、ｂスターが示されているので、Ｌスター、ａスター、ｂスター表色系が入力されている。
【００７４】
設定項目欄２１−４においてチェックされた事項、設定項目欄２１−５に入力された事項、及び、設定項目欄２１−２に入力された事項は、光学特性測定装置３の診断時に光学特性測定装置３に設定される内容を示す情報（第１の設定情報）となる。
【００７５】
以上が、上記（１）の入力（診断の対象となる光学特性測定装置３のＩＤと、第１の設定情報との入力）の説明である。
【００７６】
次に、初期値の測定（上記（２））について説明する。これを、図３に示す画面２−２を例にして説明する。図１及び図３を参照して、ユーザが、操作部５２を操作して、ボタン２４−１を選択したとき、制御処理部５１は、入力欄２０に入力された事項、設定項目欄２１−３においてチェックされた事項、及び、設定項目欄２１−２に入力された事項を確定する。そして、表示制御部５１１は、「光学特性測定装置（ＣＭ−Ｍ６  ＳＮ：ＫＭ１３７９４８５６）を用いて、基準板の色を測定して下さい。」の文字画像を含む画面（不図示）を表示部５３に表示させる。
【００７７】
ユーザは、機種名が「ＣＭ−Ｍ６」であり、シリアル番号が「ＫＭ１３７９４８５６」である光学特性測定装置３を用いて、基準板の色を測定する。画面２−２において、チェックボックス２３−４，２３−６，２３−７にチェックが入っているので、光学特性測定装置３は、４５度、１０５度、１３５度の反射光で示される色の値を測定する。このときに測定された色の値が初期値となる。制御処理部５１は、初期値を記憶する。ここでは、４５度の反射光で示される色の値の初期値、１０５度の反射光で示される色の値の初期値、及び、１３５度の反射光で示される色の値の初期値が、制御処理部５１に記憶される。
【００７８】
表示制御部５１１は、初期値を示す画面を表示部５３に表示させる。図５は、初期値を示す画面４の一例を説明する説明図である。画面４は、初期値４０、初期値４０で示される色を可視化した画像４１、及び、ボタン４２を含む。
【００７９】
初期値４０−１は、４５度の反射光で示される色の初期値である。初期値４０−２は、１０５度の反射光で示される色の初期値である。初期値４０−３は、１３５度の反射光で示される色の初期値である。図３に示す画面２−２において、設定項目欄２１−２にＬスター、ａスター、ｂスターが入力されているので、色の値は、Ｌスター、ａスター、ｂスター表色系で示されている。
【００８０】
画像４１−１は、初期値４０−１で示される色の値を可視化した画像である。画像４１−２は、初期値４０−２で示される色の値を可視化した画像である。画像４１−３は、初期値４０−３で示される色の値を可視化した画像である。基準板が緑色のカラータイルなので、画像４１−１〜４１−３は、緑色を示す。初期値４０−１〜４０−３が互いに、異なるので、画像４１−１が示す緑色、画像４１−２が示す緑色、画像４１−３が示す緑色は、わずかに差がある。
【００８１】
ボタン４２−１は、設定ボタンである。ユーザが、操作部５２を操作して、ボタン４２−１を選択したとき、制御処理部５１は、初期値４０−１を、４５度の反射光で示される色の初期値として、初期値４０−２を、１０５度の反射光で示される色の初期値として、初期値４０−３を、１３５度の反射光で示される色の初期値として、それぞれ、確定する。
【００８２】
ボタン４２−２は、再測定ボタンである。ユーザが画面４を見て、再度測定する必要があると判断することがある。例えば、画像４１で示される色が白のとき、間違って、白色の基準板の色が測定されたことが分かる。このような場合、ユーザが、操作部５２を操作して、ボタン４２−２を選択すると、表示制御部５１１は、「光学特性測定装置（ＣＭ−Ｍ６  ＳＮ：ＫＭ１３７９４８５６）を用いて、基準板の色を測定して下さい。」の文字画像を含む画面（不図示）を表示部５３に表示させる。ユーザは、その光学特性測定装置３を用いて、基準板の色を再度、測定することができる。
【００８３】
ボタン４２−３は、キャンセルボタンである。ボタン４２−３が選択されると、表示制御部５１１は、画面４を閉じる。これにより、初期設定が実行されないことになる。
【００８４】
次に、光学特性測定装置３が使用されるプロジェクト名の入力（上記（３））について説明する。図１及び図５を参照して、ユーザが、操作部５２を操作して、ボタン４２−１を選択したとき、制御処理部５１は、上記初期値を確定する。そして、表示制御部５１１は、プロジェクト名を入力するための画面を表示部５３に表示させる。図６は、プロジェクト名を入力するための画面６の一例を説明する説明図である。画面６は、プロジェクト名入力欄６０、及び、ボタン６１を含む。
【００８５】
ユーザは、機種名が「ＣＭ−Ｍ６」であり、シリアル番号が「ＫＭ１３７９４８５６」である光学特性測定装置３が使用されるプロジェクト名を入力する。この光学特性測定装置３が、自動車のバンパーの色の測定に使用される場合、ユーザは、操作部５２を操作して、例えば、「バンパー色測定用」を、プロジェクト名入力欄６０に入力する。
【００８６】
ボタン６１−１は、設定ボタンである。ユーザが、操作部５２を操作して、ボタン６１−１を選択したとき、制御処理部５１は、プロジェクト名入力欄６０に入力されたプロジェクト名を確定する。
【００８７】
ボタン６１−２は、リセットボタンである。画面６の入力が完了する前に（ボタン６１−１が選択される前に）、ユーザが、操作部５２を操作して、ボタン６１−２を選択したとき、表示制御部５１１は、当初の画面６を表示部５３に表示させる。当初の画面６において、プロジェクト名入力欄６０は、空欄である。ユーザは、再度、プロジェクト名入力欄６０にプロジェクト名を入力することができる。
【００８８】
ボタン６１−３は、キャンセルボタンである。ボタン６１−３が選択されると、表示制御部５１１は、画面６を閉じる。これにより、初期設定が実行されないことになる。
【００８９】
図１及び図６を参照して、ユーザが、操作部５２を操作して、ボタン６１−１を選択したとき、制御処理部５１は、診断ファイルを生成する。図７は、診断ファイルの一例を説明する説明図である。診断ファイル１００は、診断ファイルＩＤ１０１、光学特性測定装置ＩＤ１０２、第１の設定情報１０３、初期値１０４、及び、プロジェクト名１０５を含む。
【００９０】
診断ファイルＩＤ１０１は、この診断ファイル１００を他の診断ファイルと区別するためのＩＤである。制御処理部５１は、ＩＤ生成部（不図示）を含み、診断ファイルを生成する毎に、生成した診断ファイルに割り当てる診断ファイルＩＤを生成する。
【００９１】
光学特性測定装置ＩＤ１０２は、診断の対象となる光学特性測定装置（ここでは、光学特性測定装置３）のＩＤである。光学特性測定装置ＩＤ１０２は、制御処理部５１が、上記（１）において、確定した光学特性測定装置のシリアル番号である。ここでは、図３の入力欄２０に入力されたシリアル番号である。
【００９２】
第１の設定情報１０３は、制御処理部５１が、上記（１）において、確定した事項である。ここでは、図３の設定項目欄２１−３にチェックされた事項、及び、設定項目欄２１−２に入力された事項である。
【００９３】
初期値１０４は、制御処理部５１が、上記（２）において、確定した初期値である。ここでは、図５に示す初期値４０である。
【００９４】
プロジェクト名１０５は、制御処理部５１が、上記（３）において、確定したプロジェクト名である。ここでは、図６のプロジェクト名入力欄６０に入力されたプロジェクト名である。
【００９５】
制御処理部５１は、診断ファイル１００を第１の記憶部５１２に記憶させる。診断ファイル１００は、光学特性測定装置ＩＤ１０２と、第１の設定情報１０３とを含むので、光学特性測定装置ＩＤ１０２と第１の設定情報１０３とが紐付けられて第１の記憶部５１２に記憶されている。従って、第１の記憶部５１２に複数の診断ファイルが記憶されている場合、複数の光学特性測定装置のそれぞれのＩＤと、複数の光学特性測定装置のそれぞれの第１の設定情報とが紐付けられて、第１の記憶部５１２に記憶されている。
【００９６】
以上が初期設定の説明である。
【００９７】
次に、診断について説明する。図８及び図９は、これを説明するフローチャートである。図１及び図８を参照して、ユーザは、操作部５２を操作して、診断機能を呼び出す命令を入力する。制御処理部５１は、第１の記憶部５１２に記憶されている診断ファイルからプロジェクト名を抽出する。表示制御部５１１は、抽出されたプロジェクト名の一覧を示す一覧画面（不図示）を表示部５３に表示させる（ステップＳ１０）。例えば、第１の記憶部５１２には、３つの診断ファイルが記憶されており、１つ目の診断ファイル（図７に示す診断ファイル１００）において、プロジェクト名が「バンパー色測定用」とされ、２つ目の診断ファイルにおいて、プロジェクト名が「ボディー色測定用」とされ、３つ目の診断ファイルにおいて、プロジェクト名が「ダッシュボード測定用」とされているとする。この場合、プロジェクト名として、「バンパー色測定用」、「ボディー色測定用」、及び、「ダッシュボード測定用」が抽出されるので、一覧画面には、「バンパー色測定用」を示す文字画像、「ボディー色測定用」を示す文字画像、及び、「ダッシュボード測定用」を示す文字画像が含まれる。
【００９８】
ユーザが、操作部５２を操作して、一覧画面の中から診断の対象となる光学特性測定装置が使用されるプロジェクト名を選択する（ステップＳ１１）。例えば、「バンパー色測定用」を示す文字画像が選択されたとする。制御処理部５１は、第１の記憶部５１２に記憶されている診断ファイルの中から、「バンパー色測定用」を含む診断ファイル（診断ファイル１００）を読み出し、記憶する（ステップＳ１２）。
【００９９】
診断支援装置５と光学特性測定装置３とは、通信部５５及び通信部３６を用いて通信し、通信部３６は、光学特性測定装置３のＩＤ記憶部３３２に記憶されているＩＤを送信する（ステップＴ１０）。このＩＤは、光学特性測定装置３のシリアル番号により構成される。通信部５５は、送信されてきたＩＤを受信する（ステップＳ１３）。通信部５５は、受信したＩＤを許可部５１８に送る。これにより、許可部５１８は、ＩＤ記憶部３３２に記憶されているＩＤを取得する。
【０１００】
許可部５１８は、取得したＩＤと、ステップＳ１２で読み出された診断ファイル１００に含まれる光学特性測定装置ＩＤ１０２とが一致するか否かを判定する（ステップＳ１４）。すなわち、許可部５１８は、複数の光学特性測定装置の中で診断の対象となる光学特性測定装置３が、設定記憶部３３１に記憶されている第１の設定情報が示す設定の内容に基づいて動作する前に、診断ファイル１００に含まれる光学特性測定装置ＩＤ１０２（診断のために選択された第１の設定情報に紐付けられたＩＤ）と、診断の対象となる光学特性測定装置３のＩＤと、が一致するか否かを判定する。
【０１０１】
許可部５１８が、ＩＤが一致しないと判定したとき（ステップＳ１４でＮｏ）、診断支援装置５は、光学特性測定装置３の診断を実行しない。診断支援装置５は、ユーザに注意を促す警告をする（ステップＳ１５）。例えば、表示制御部５１１は、ステップＳ１２で読み出した診断ファイル１００に含まれる光学特性測定装置ＩＤ１０２を用いて、「ＣＭ−Ｍ６  ＳＮ：ＫＭ１３７９４８５６を診断支援装置５に接続して下さい」を示す文字画像を含む画面を表示部５３に表示させる。
【０１０２】
許可部５１８が、ＩＤが一致すると判定したとき（ステップＳ１４でＹｅｓ）、許可部５１８は、診断部５１６が光学特性測定装置３を診断することを許可する。そして、処理部５１３は、光学特性測定装置３から第２の設定情報を取得する。詳しく説明する。第２の設定情報は、上述したように、光学特性測定装置３の使用時に光学特性測定装置３に設定される内容を示す情報である。ここでは、４５度及び１３５度の反射角が設定され、Ｌスター、ａスター、ｂスター表色系が設定されているとする。光学特性測定装置３の使用時に設定される反射角（４５度、１３５度）が、光学特性測定装置３の診断時に設定される反射角（４５度、１０５度、１３５度）と異なっている。
【０１０３】
処理部５１３は、第２の設定情報を取得する命令をする。これにより、診断支援装置５と光学特性測定装置３とは、通信部５５及び通信部３６を用いて通信し、通信部３６は、設定記憶部３３１に記憶されている第２の設定情報を送信する（ステップＴ１１）。通信部５５は、送信されてきた第２の設定情報を受信する（ステップＳ１６）。処理部５１３は、この第２の設定情報を第２の記憶部５１４に記憶させる（ステップＳ１７）。
【０１０４】
第１の命令部５１５は、ステップＳ１２で読み出された診断ファイル１００に含まれる第１の設定情報１０３を、設定記憶部３３１に記憶させる命令をする。第１の設定情報１０３は、反射角が４５度、１０５度、１３５度であり、表色系がＬスター、ａスター、ｂスター表色系である情報である（図３）。これにより、診断支援装置５と光学特性測定装置３とは、通信部５５及び通信部３６を用いて通信し、通信部５５は、第１の設定情報１０３を送信する（ステップＳ１８）。
【０１０５】
通信部３６は、送信されてきた第１の設定情報１０３を受信する（ステップＴ１２）。制御処理部３３は、第１の設定情報１０３を設定記憶部３３１に記憶させる。これにより、光学特性測定装置３は、第１の設定情報１０３で示される内容に設定される（ステップＴ１３）。
【０１０６】
図１及び図９を参照して、ユーザは、光学特性測定装置３を用いて基準板の色を測定する（ステップＴ２０）。
【０１０７】
光学特性測定装置３を用いた基準板の色の測定が終了したとき、診断部５１６は、測定結果（測定された色の値）を取得する。詳しく説明する。診断支援装置５と光学特性測定装置３とは、通信部５５及び通信部３６を用いて通信し、通信部３６は、測定結果を送信する（ステップＴ２１）。通信部５５は、送信されてきた測定結果を受信する（ステップＳ２０）。診断部５１６は、ステップＳ２０で受信された測定結果を取得する。
【０１０８】
診断部５１６は、取得した測定結果と、ステップＳ１２（図８）で読み出された診断ファイル１００に含まれる初期値１０４（図７）とを用いて、比較結果を生成する。表示制御部５１１は、比較結果を示す画面を表示部５３に表示させる（ステップＳ２１）。
【０１０９】
図１０は、比較結果を示す画面８の一例を説明する説明図である。画面８は、初期値４０、初期値４０で示される色を可視化した画像４１、測定結果（測定された色の値）８０、測定結果で示される色を可視化した画像８１、及び、ボタン８２を含む。
【０１１０】
初期値４０及び画像４１は、図５に示す初期値４０及び画像４１である。
【０１１１】
測定結果８０−１は、ステップＴ２０の測定において、４５度の反射光で示される色の値である。測定結果８０−２は、１０５度の反射光で示される色の値である。測定結果８０−３は、１３５度の反射光で示される色の値である。第１の設定情報１０３（図７）に含まれる表色系は、Ｌスター、ａスター、ｂスター表色系であるので、測定結果８０は、Ｌスター、ａスター、ｂスター表色系で示されている。
【０１１２】
画像８１−１は、測定結果８０−１で示される色の値を可視化した画像である。画像８１−２は、測定結果８０−２で示される色の値を可視化した画像である。画像８１−３は、測定結果８０−３で示される色の値を可視化した画像である。基準板が緑色のカラータイルなので、画像８１−１〜８１−３は、緑色を示す。測定結果８０−１〜８０−３が互いに、異なるので、画像８１−１が示す緑色、画像８１−２が示す緑色、画像８１−３が示す緑色は、わずかに差がある。
【０１１３】
画像８１で示される色が、例えば、白色の場合、ユーザは、画像８１を見て、測定すべき基準板の色が間違っていることが分かる。
【０１１４】
画面８には、初期値４０及び画像４１の替わりに、前回の診断で測定された測定結果及び測定結果で示される色の値を可視化した画像を含めてもよい。
【０１１５】
ボタン８２−１は、完了ボタン（設定ボタン）である。ユーザが、操作部５２を操作して、ボタン８２−１を選択したとき、診断部５１６は、ステップＳ２０で受信した測定結果を診断ファイルに対応付けた診断データを作成し、診断データを第３の記憶部５１７に記憶させる（ステップＳ２２）。
【０１１６】
【表１】
2018066524.tif 000003
【０１１７】
表１は、診断データの一例を示す。この診断データは、図７に示す診断ファイル１００に対応付けられている。表１中のプロジェクト名、診断ファイルＩＤ、光学特性測定装置ＩＤ、インデックス（表色系）、４５度、１０５度、１３５度は、それぞれ、プロジェクト名１０５、診断ファイルＩＤ１０１、光学特性測定装置ＩＤ１０２、第１の設定情報１０３に含まれる表色系、第１の設定情報１０３に含まれる反射光の角度である。
【０１１８】
Ｎｏ１で示す欄の４５度、１０５度、１３５度の値は、図７に示す初期値１０４（図１０に示す初期値４０）である。Ｎｏ２で示す欄の４５度、１０５度、１３５度の値は、図１０に示す測定結果８０である。
【０１１９】
図１及び図１０を参照して、ボタン８２−２は、再測定ボタンである。ユーザが画面８を見て、再度測定する必要があると判断することがある。例えば、画像８で示される色が白のとき、間違って、白色の基準板の色が測定されたことが分かる。このような場合、ユーザが、操作部５２を操作して、ボタン８２−２を選択すると、表示制御部５１１は、「光学特性測定装置（ＣＭ−Ｍ６  ＳＮ：ＫＭ１３７９４８５６）を用いて、基準板の色を測定して下さい。」の文字画像を含む画面（不図示）を表示部５３に表示させる。ユーザは、この光学特性測定装置３を用いて、基準板の色を再度、測定することができる。
【０１２０】
ボタン８２−３は、キャンセルボタンである。ボタン８２−１が選択されて、診断部５１６が上記診断データ（表１）を作成した後、ユーザが、操作部５２を操作して、ボタン８２−３を選択したとき、上記診断データがキャンセルされる。ユーザは、機種名が「ＣＭ−Ｍ６」であり、シリアル番号が「ＫＭ１３７９４８５６」である光学特性測定装置３を用いて、基準板の色を再度、測定することができる。
【０１２１】
図１及び図９を参照して、ステップＳ２２で診断データが作成された後（言い換えれば、診断部５１６がステップＳ２０で受診された測定結果を取得した後）、第２の命令部５２０は、第２の記憶部５１４に記憶されている第２の設定情報を読み出して、第２の設定情報を光学特性測定装置３に送信する命令をする。詳しく説明する。第２の設定情報は、ステップＳ１７（図８）において、第２の記憶部５１４に記憶されている。第２の設定情報は、反射角が４５度、１３５度であり、表色系がＬスター、ａスター、ｂスター表色系である。診断支援装置５と光学特性測定装置３とは、通信部５５及び通信部３６を用いて通信し、通信部５５は、第２の設定情報を送信する（ステップＳ２３）。
【０１２２】
通信部３６は、送信されてきた第２の設定情報を受信する（ステップＴ２２）。制御処理部３３は、第２の設定情報を設定記憶部３３１に記憶させる。これにより、光学特性測定装置３は、第２の設定情報で示される内容に設定される（ステップＴ２３）。よって、実施形態に係る診断支援装置５によれば、光学特性測定装置３が診断時の設定のままで、光学特性測定装置３が使用されることを防止することができる。
【０１２３】
以上が、光学特性測定装置３の診断の説明である。光学特性測定装置３の診断は、定期的にされるので、診断支援装置５は、図１０に示す比較結果に加えて、測定結果のトレンドをユーザに示すことができる。例えば、プロジェクト名「バンパー測定用」に使用される光学特性測定装置３の診断が７回実行されている場合、表１には、Ｎｏ１〜Ｎｏ７の欄が存在する。制御処理部５１は、表１を用いて、測定結果のトレンドを示す画面を生成する。表示制御部５１１は、この画面を表示部５３に表示させる。
【０１２４】
図１１は、測定結果のトレンドを示す画面１０の一例を説明する説明図である。測定結果のトレンドは、グラフで示されている。グラフの横軸は、診断回数を示し、縦軸は、色差（ΔＥ）を示す。色差は、初期値と、診断時に光学特性測定装置３によって測定された基準板の色の値との差である。４５度の反射光の場合、１０５度の反射光の場合、１３５度の反射光の場合のそれぞれの色差が示されている。色差の替わりに、測定された基準板の色の値にしてもよい。
【０１２５】
色差（ΔＥ）が、閾値以上のとき、光学特性測定装置３の使用は、推奨されない。図１１では、閾値が０．１５である。閾値は、上述した初期設定時に設定することができる。
【０１２６】
ユーザは、診断時に画面１０を見ることで、光学特性測定装置３を使用できるか否かを判断できる。例えば、第２回の診断において、１０５度の反射光の場合の色差が、閾値を超えている。光学特性測定装置３の使用では、４５度の反射光と１３５度の反射光が測定される。ユーザは、光学特性測定装置３を使用することができると判断する。
【０１２７】
１３５度の反射光の場合の色差が時間の経過に従って上昇し、閾値に近づいている。光学特性測定装置３の使用では、４５度の反射光と１３５度の反射光が測定されるので、ユーザは、間もなく、光学特性測定装置３が校正されなければならないことを判断する。
【０１２８】
図１を参照して、第３の記憶部５１７に記憶されている診断データ（例えば、表１）は、診断支援装置５の外部に出力することができる。ユーザが操作部５２を操作して、診断データを外部に出力する命令を診断支援装置５に入力したとき、入出力制御部５２１は、第３の記憶部５１７に記憶されている診断データを、外部に出力する命令をする。これにより、診断データは、入出力部５４から出力され、ＵＳＢメモリに記憶される。診断支援装置５と別のパソコンに、このＵＳＢメモリが接続されると、このパソコンにおいて、診断データや、図１１に示す測定結果のトレンドを見ることができる。なお、入出力制御部５２１が診断データを暗号化した後、入出力部５４が暗号化された診断データを出力するようにしてもよい。
【０１２９】
入出力部５４が、第１の記憶部５１２に記憶されている診断ファイル（例えば、図７の診断ファイル１００）や、第３の記憶部５１７に記憶されている診断データを外部に出力するとき、入出力制御部５２１は、第１の記憶部５１２に記憶されている診断ファイル、第３の記憶部５１７に記憶されている診断データを消去する処理をしてもよい。これにより、診断支援装置５から診断ファイルや診断データが漏洩することを防止できる。
【０１３０】
実施形態の変形例を説明する。変形例に係る診断支援装置は、光学特性測定装置３に備えられる。図１２は、変形例に係る診断支援装置５ａの構成と、この装置により診断される光学特性測定装置３の構成とを示すブロック図である。光学特性測定装置３は、診断支援装置５ａを備える。診断支援装置５ａは、図１に示す制御処理部５１と入出力部５４とを備える。診断支援装置５ａは、図１に示す操作部５２、表示部５３及び通信部５５を備えていない。これは、図１２に示す操作部３４、表示部３５及び通信部３６がこれらの機能を有するからである。
【０１３１】
診断支援装置５ａの診断部（図１に示す診断部５１６）が、外部から入出力部５４に入力された第１の設定情報が示す設定の内容に基づいて動作する光学特性測定装置３を診断する場合、診断支援装置５ａの許可部（図１に示す許可部５１８）は、ステップＳ１４（図８）でのＩＤの一致を判定することなく、光学特性測定装置３の診断を許可する。この理由を説明する。
【０１３２】
診断支援装置５ａを備える光学特性測定装置３が複数あるとする。複数の光学特性測定装置３のそれぞれの第１の設定情報が同じ場合、ユーザが、複数の光学特性測定装置３のそれぞれにおいて、診断支援装置５ａに第１の設定情報を設定するのは面倒である。そこで、一台目の光学特性測定装置３に備えられる診断支援装置５ａにおいて、第１の設定情報が設定され、この第１の設定情報が、残りの光学特性測定装置３に備えられる診断支援装置５ａでも使用される。この場合、一台目の光学特性測定装置３に備えられる診断支援装置５ａの入出力部５４から第１の診断情報が出力され、残りの光学特性測定装置３に備えられる診断支援装置５ａの入出力部５４に第１の診断情報が入力される。
【０１３３】
第１の診断情報に紐付けられた光学特性測定装置３のＩＤは、一台目の光学特性測定装置３のＩＤである。このため、残り光学特性測定装置３に備えられる診断支援装置５ａの許可部５１８がＩＤの照合をすると、これらの診断支援装置５ａは、光学特性測定装置３を診断できない（ＩＤが不一致となるからである）。そこで、許可部５１８は、ＩＤの一致を判定することなく、光学特性測定装置３の診断を許可する。
【０１３４】
一台目の光学特性測定装置３に備えられる診断支援装置５ａの入出力制御部５２１は、入出力部５４が第１の設定情報を出力するとき、第１の設定情報に所定のフラグを付加する。これにより、残りの光学特性測定装置３に備えられる診断支援装置５ａの許可部５１８は、第１の設定情報が、外部から入出力部５４に入力された第１の設定情報か否かを判断することができる。
【０１３５】
（実施形態の纏め）
実施形態の第１局面に係る光学特性測定装置の診断支援装置は、光学特性測定装置の使用時及び診断時において、前記光学特性測定装置の設定記憶部に記憶された設定の内容に基づいて動作する前記光学特性測定装置の診断を支援する装置であって、前記診断時の設定の内容を示す第１の設定情報を予め記憶する第１の記憶部と、第２の記憶部と、前記設定記憶部に予め記憶されており、前記使用時の設定の内容を示す第２の設定情報を前記設定記憶部から取得し、前記第２の記憶部に記憶させる処理をする処理部と、前記第２の記憶部に前記第２の設定情報が記憶された後、前記第１の記憶部に記憶されている前記第１の設定情報を前記設定記憶部に記憶させる命令をする第１の命令部と、前記設定記憶部に記憶されている前記第１の設定情報が示す設定の内容に基づいて動作する前記光学特性測定装置が測定した値を示す測定結果を取得し、取得した前記測定結果を用いて前記光学特性測定装置の診断に必要な情報を生成する診断部と、前記診断部が前記測定結果を取得した後、前記第２の記憶部に記憶されている前記第２の設定情報を前記設定記憶部に記憶させる命令をする第２の命令部と、を備える。
【０１３６】
実施形態の第１局面に係る光学特性測定装置の診断支援装置は、光学特性測定装置を診断するために、第１の設定情報が示す設定の内容に基づいて光学特性測定装置が動作する前に、光学特性測定装置の設定記憶部に記憶されている第２の設定情報を取得して、診断支援装置の第２の記憶部に記憶させる。次に、診断支援装置は、光学特性測定装置の設定記憶部に第１の設定情報を記憶させる。次に、診断支援装置は、第１の設定情報が示す設定の内容に基づいて動作する光学特性測定装置が測定した値を示す測定結果を取得する。次に、診断支援装置は、診断支援装置の第２の記憶部に記憶されている第２の設定情報を、光学特性測定装置の設定記憶部に記憶させる。従って、実施形態の第１局面に係る光学特性測定装置の診断支援装置によれば、光学特性測定装置が診断時の設定のままで、光学特性測定装置が使用されることを防止することができる。
【０１３７】
診断とは、例えば、診断部が、光学特性測定装置が測定した値である測定結果を取得し、取得した測定結果を用いて、光学特性測定装置の診断に必要な情報（例えば、図１０に示す比較結果、図１１に示す測定結果のトレンド）を生成し、この情報をユーザに提供することである。ユーザは、この情報を見て、光学特性測定装置が使用可能か否かを判断する。診断はこの意味に限らない。診断とは、例えば、診断部が、上記測定結果を取得し、取得した測定結果を用いて上記情報を生成し、この情報を基にして、光学特性測定装置が使用可能か否かを判断することである。
【０１３８】
上記構成において、前記第１の記憶部には、複数の前記光学特性測定装置のそれぞれに対して設けられた前記第１の設定情報と、複数の前記光学特性測定装置のそれぞれのＩＤとが、紐付けられて予め記憶されており、複数の前記光学特性測定装置の中で診断の対象となる前記光学特性測定装置が、前記設定記憶部に記憶されている前記第１の設定情報が示す設定の内容に基づいて動作する前に、複数の前記第１の設定情報の中で診断のために選択された前記第１の設定情報に紐付けられた前記ＩＤと、診断の対象となる前記光学特性測定装置のＩＤと、が一致するか否かを判定し、前記一致を判定したとき、前記診断部が診断の対象となる前記光学特性測定装置を診断することを許可する許可部をさらに備える。
【０１３９】
光学特性測定装置が複数ある場合、光学特性測定装置毎に内容が異なる第１の設定情報が設けられることがある。ある光学特性測定装置に対して設けられた第１の設定情報が、別の光学特性測定装置の診断に用いられれば、間違った診断がされることになる。そこで、この構成は、複数の光学特性測定装置のそれぞれのＩＤと、複数の光学特性測定装置のそれぞれの第１の設定情報とを紐付けておき、複数の第１の設定情報の中で診断のために選択された第１の設定情報に紐付けられたＩＤと、診断の対象となる光学特性測定装置のＩＤとが一致したとき、光学特性測定装置の診断を許可する。
【０１４０】
診断の対象となる光学特性測定装置のＩＤは、例えば、この光学特性測定装置に備えられるＩＤ記憶部から取得される。
【０１４１】
上記構成において、前記第１の設定情報を前記診断支援装置の外部へ出力し、前記外部から前記第１の設定情報が入力される入出力部と、前記入出力部に対して、前記第１の記憶部に記憶されている前記第１の設定情報を、前記外部へ出力する命令をし、前記外部から前記入出力部に入力された前記第１の設定情報を、前記第１の記憶部に記憶させる入出力制御部と、をさらに備える。
【０１４２】
この構成によれば、第１の設定情報のインポート及びエクスポートができる。従って、例えば、診断支援装置から第１の設定情報が漏洩するのを防止するために、診断を実行するときにのみ、診断支援装置に第１の設定情報を記憶させることができる。
【０１４３】
上記構成において、前記入出力制御部が、前記第１の設定情報を暗号化した後、前記入出力部は、前記第１の設定情報を前記外部へ出力する。
【０１４４】
この構成によれば、外部へ出力された第１の設定情報が漏洩しても、第１の設定情報の内容が知られることを防止できる。
【０１４５】
上記構成において、前記診断支援装置は、前記光学特性測定装置に備えられており、前記診断部が、前記外部から前記入出力部に入力された前記第１の設定情報が示す設定の内容に基づいて動作する前記光学特性測定装置を診断する場合、前記許可部は、前記一致を判定することなく、前記光学特性測定装置の診断を許可する。
【０１４６】
診断支援装置を備える光学特性測定装置が複数あるとする。複数の光学特性測定装置のそれぞれの第１の設定情報が同じ場合、ユーザが、複数の光学特性測定装置のそれぞれにおいて、診断支援装置に第１の設定情報を設定するのは面倒である。そこで、一台目の光学特性測定装置に備えられる診断支援装置において、第１の設定情報が設定され、この第１の設定情報が、残りの光学特性測定装置に備えられる診断支援装置でも使用される。この場合、一台目の光学特性測定装置に備えられる診断支援装置の入出力部から第１の診断情報が出力され、残りの光学特性測定装置に備えられる診断支援装置の入出力部に第１の診断情報が入力される。
【０１４７】
第１の診断情報に紐付けられた光学特性測定装置のＩＤは、一台目の光学特性測定装置のＩＤである。このため、残り光学特性測定装置に備えられる診断支援装置の許可部がＩＤの照合をすると、これらの診断支援装置は、光学特性測定装置を診断できない（ＩＤが不一致となるからである）。そこで、許可部は、ＩＤの一致を判定することなく、光学特性測定装置の診断を許可する。
【０１４８】
なお、診断支援装置が、第１の診断情報に紐付けられた光学特性測定装置のＩＤを、一台目の光学特性測定装置のＩＤから残りの光学特性測定装置のＩＤに切り替える態様がある。この態様によれば、許可部はＩＤの一致を判定するので、ユーザが間違った光学特性測定装置に対して診断することを防止できる。この態様には二つある。
【０１４９】
第１の態様を説明する。一台目の光学特性測定装置に備えられる診断支援装置に第１の設定情報が設定された後、ユーザが、この診断支援装置に、残りの光学特性測定装置のＩＤ（二台目の光学特性測定装置のＩＤ、三台目の光学特性測定装置のＩＤ、・・・）を入力する。この診断支援装置は、第１の設定情報に紐付けられたＩＤを、一台目の光学特性測定装置のＩＤから残りの光学特性測定装置のＩＤに切り替える処理をする（一台目の光学特性測定装置に備えられる診断支援装置は、二台目の光学特性測定装置のＩＤと紐づけられた第１の設定情報、三台目の光学特性測定装置のＩＤと紐づけられた第１の設定情報、・・・を、それぞれ生成する処理をする）。残りの光学特性測定装置のＩＤが紐付けられた第１の設定情報が、残りの光学特性測定装置に備えられる診断支援装置に入力される（二台目の光学特性測定装置のＩＤと紐づけられた第１の設定情報が、二台目の光学特性測定装置に備えられる診断支援装置に入力され、三台目の光学特性測定装置のＩＤと紐づけられた第１の設定情報が、三台目の光学特性測定装置に備えられる診断支援装置に入力される）。
【０１５０】
第２の態様を説明する。一台目の光学特性測定装置に備えられる診断支援装置に第１の設定情報（以下、第１の設定情報Ａ）が設定され後、この診断支援装置は、ＩＤが紐付けられていない第１の設定情報（以下、第１の設定情報Ｂ）を生成する。第１の設定情報Ｂは、ＩＤが紐付けられていない点以外は、第１の設定情報Ａと同じである。残りの光学特性測定装置に備えられる診断支援装置に第１の設定情報Ｂが入力される。許可部は、第１の設定情報にＩＤが紐付けられていない場合（すなわち、第１の設定情報Ｂの場合）、ＩＤの一致を判定しない設定がされている。残りの光学特性測定装置に備えられる診断支援装置を用いた１回目の診断では、ＩＤの一致が問題となることはない。残りの光学特性測定装置に備えられる診断支援装置は、１回目の診断をした後、第１の設定情報Ｂと残りの光学特性測定装置のＩＤとを紐付ける処理をする。残りの光学特性測定装置に備えられる診断支援装置が、次の診断（２回目の診断、３回目の診断、・・・）をするとき、許可部は、ＩＤの一致を判定する。
【０１５１】
上記構成において、前記処理部は、前記許可部が、診断の対象となる前記光学特性測定装置の診断を許可した後、前記第２の設定情報を前記設定記憶部から取得し、前記第２の記憶部に記憶させる処理をする。
【０１５２】
許可部が、診断の対象となる光学特性測定装置の診断を許可しなければ、診断部は、その光学特性測定装置の診断をすることができない。処理部による処理がされた後、許可部が、診断の対象となる光学特性測定装置の診断を不許可にすると、処理部による処理が無駄になる。この構成によれば、許可部が、診断の対象となる光学特性測定装置の診断を許可した後、処理部による処理がされるので、上記無駄を防止することができる。
【０１５３】
上記構成において、前記設定記憶部に記憶されている前記第１の設定情報が示す設定の内容に基づいて、前記光学特性測定装置が動作中に、前記光学特性測定装置の設定の内容の変更を禁止する禁止部をさらに備える。
【０１５４】
光学特性測定装置が上記動作中に、光学特性測定装置に設定された内容が変わると（例えば、光学特性測定装置の表示部に表示された設定画面に手が触れて、設定の内容が変わる）、正しい診断をすることができない。この構成によれば、このようなことを防止することができる。
【０１５５】
実施形態の第２局面に係る光学特性測定装置の診断支援方法は、光学特性測定装置の使用時及び診断時において、前記光学特性測定装置の設定記憶部に記憶された設定の内容に基づいて動作する前記光学特性測定装置の診断を支援する方法であって、前記診断時の設定の内容を示す第１の設定情報を予め記憶する第１の記憶ステップと、前記設定記憶部に予め記憶されており、前記使用時の設定の内容を示す第２の設定情報を前記設定記憶部から取得し、前記第２の設定情報を記憶する処理をする処理ステップと、前記処理ステップで前記第２の設定情報が記憶された後、前記第１の記憶ステップで記憶されている前記第１の設定情報を前記設定記憶部に記憶させる命令をする第１の命令ステップと、前記設定記憶部に記憶されている前記第１の設定情報が示す設定の内容に基づいて動作する前記光学特性測定装置が測定した値を示す測定結果を取得し、取得した前記測定結果を用いて前記光学特性測定装置の診断に必要な情報を生成する診断ステップと、前記診断ステップで前記測定結果が取得された後、前記処理ステップで記憶されている前記第２の設定情報を前記設定記憶部に記憶させる命令をする第２の命令ステップと、を備える。
【０１５６】
実施形態の第２局面に係る光学特性測定装置の診断支援方法は、実施形態の第１局面に係る光学特性測定装置の診断支援装置を方法の観点から規定しており、実施形態の第１局面と同様の作用効果を有する。
【０１５７】
本発明の実施形態が詳細に図示され、かつ、説明されたが、それは単なる図例及び実例であって限定ではない。本発明の範囲は、添付されたクレームの文言によって解釈されるべきである。
【０１５８】
明細書、クレーム、図面、及び要約を含む、２０１６年１０月６日に提出された日本国特許出願特願２０１６−１９８１１７は、その全体の開示が、その全体において参照によりここに組み込まれる。
【産業上の利用可能性】
【０１５９】
本発明によれば、光学特性測定装置の診断支援装置、及び、光学特性測定装置の診断支援方法を提供することができる。
【図１】
2018066524.tif 000004
【図２】
2018066524.tif 000005
【図３】
2018066524.tif 000006
【図４】
2018066524.tif 000007
【図５】
2018066524.tif 000008
【図６】
2018066524.tif 000009
【図７】
2018066524.tif 000010
【図８】
2018066524.tif 000011
【図９】
2018066524.tif 000012
【図１０】
2018066524.tif 000013
【図１１】
2018066524.tif 000014
【図１２】
2018066524.tif 000015
【国際調査報告】
2018066524.tif 000016
2018066524.tif 000017
2018066524.tif 000018